(57)【要約】      （修正有）【課題】笠コンクリートブロックを開口部の位置に関わらず、バランス上最適の位置で、鋼矢板の天端に高さ調節可能に支持できるようにする笠コンクリートブロックの高さ調節装置を提供する。【解決手段】鋼矢板の天端に笠コンクリートブロックを設置する際に、笠コンクリートブロックの高さ調節を行うための装置であって、鋼矢板１１の天端に取り付けられ、高さ調節用のボルトを備えた高さ調節具２１と、上記ボルトにて支持され、それ自体は笠コンクリートブロック１５の天面に当接する渡し部材２５とを有して構成されており、上記渡し部材は笠コンクリートブロックの天面に開けられた開口部分１４よりも幅狭く形成されているように構成する。【選択図】図３
0003195689.tif 000002
【実用新案登録請求の範囲】
【請求項１】
鋼矢板の天端に笠コンクリートブロックを設置する際に、笠コンクリートブロックの高さ調節を行うための装置であって、
鋼矢板の天端に取り付けられ、高さ調節用のボルトを備えた高さ調節具と、上記ボルトにて支持され、それ自体は笠コンクリートブロックの天面に当接する渡し部材とを有して構成されており、
上記渡し部材は笠コンクリートブロックの天面に開けられた開口部分よりも幅狭く形成されている笠コンクリートブロックの高さ調節装置。
【請求項２】
高さ調節用のボルトを備えた高さ調節具は、鋼矢板の天端に所要間隔で取り付けられており、渡し部材は、少なくとも２個の上記ボルトに掛け渡して用いられる
請求項１記載の笠コンクリートブロックの高さ調節装置。
【請求項３】
渡し部材は、ボルト位置での渡し部材の横断面が下面部、上面部、側面部から成る横向きほぼコ字型の形状であり、
下面部に高さ調節用のボルトがねじ合わされる雌ねじ部を有し、上記雌ねじ部又は上記ボルトの上端が当接する上面部にてコンクリートブロックの荷重を負担するものである
請求項１記載の笠コンクリートブロックの高さ調節装置。
【請求項４】
渡し部材は、ボルト位置での渡し部材の横断面が下面部と内外両側面部とから成る上向きほぼコ字型の形状であり、
下面部に高さ調節用のボルトがねじ合わされる雌ねじ部を有し、上記雌ねじ部にてコンクリートブロックの荷重を負担するものである
請求項１記載の笠コンクリートブロックの高さ調節装置。
【請求項５】
渡し部材は、少なくとも１個の補強リブを有しており、補強リブは渡し部材の下面部、上面部、側面部又は内外両側面部と下面部を結合している
請求項３又は４記載の笠コンクリートブロックの高さ調節装置。
【考案の詳細な説明】
【技術分野】
【０００１】
本考案は、鋼矢板の天端に笠コンクリートブロックを設置する際に、笠コンクリートブロックの高さ調節を行うための装置に関するものである。
【背景技術】
【０００２】
護岸、岸壁、堤防の工事等には鋼矢板が広く用いられており、その場合、鋼矢板壁の天端を笠コンクリートブロックによって覆う仕上げ工事が行われている。笠コンクリートブロックはプレキャスト化が進行しており、その結果現場打ち作業よりも工期が短縮され、天候による工事の制約もあまり受けずに済むようになった。
【０００３】
笠コンクリートブロックの製造会社は多数あり、形状も各社各様に異なっている。特に影響するのは、コンクリートを注入する開口部分の位置や大きさである。また、鋼矢板の種類も多く、継手部位置の様々であることも問題を複雑にする。笠コンクリートブロックを鋼矢板に合わせて設計していないため、その開口部分と鋼矢板の継手部との間にピッチずれが起こり、笠コンクリートブロックに対する支持点を適切に選定しにくいという問題が生じている。
【０００４】
笠コンクリートブロックの内部には、後日、開口部からコンクリートを充填するので、高さ調節具の位置が適切でない場合、重心位置の変化に耐え難くなることが考えられる。よって、笠コンクリートブロックを重量バランスから見て最適位置で支持することが重要である。ピッチずれを起こしている鋼矢板壁では、高さ調節具を取り付けるべき位置に開口部分が来てしまうことがあり、笠コンクリートブロックを適切な位置で支持できない箇所が多く発生する。
【０００５】
特許文献を調査すると、笠コンクリートブロックに関する例は多く見られるが、その設置に関する発明、考案は極めて少なく、僅かに特開平８−３０２６８１号の高さ調整ボルト用ナットの発明を見出すのみであった。同号の発明はクリップを用いて鋼矢板への取り付けを行うことを特徴とする。しかしながら、鋼矢板への取り付けボルトの発明であり、笠コンクリートブロックの支持位置については考慮されていない。なお、同出願は技術的進歩性不足により異議抹消処分とされた。
【０００６】
【特許文献１】特開平８−３０２６８１号
【考案の開示】
【考案が解決しようとする課題】
【０００７】
本考案は前記の実情に鑑みてなされたもので、その課題は、笠コンクリートブロックを開口部の位置に関わらず、バランス上最適の位置で、鋼矢板の天端に高さ調節可能に支持できるようにすることである。また、本考案の他の課題は、鋼矢板への溶接を必要とせずに、任意の位置に適用することができる笠コンクリートブロックの高さ調節装置を提供することである。
【課題を解決するための手段】
【０００８】
前記の課題を解決するため、本考案は、鋼矢板の天端に笠コンクリートブロックを設置する際に、笠コンクリートブロックの高さ調節を行うための装置として、鋼矢板の天端に取り付けられ、高さ調節用のボルトを備えた高さ調節具と、上記ボルトにて支持され、それ自体は笠コンクリートブロックの天面に当接する渡し部材とを有して構成されており、上記渡し部材は笠コンクリートブロックの天面に開けられた開口部分よりも幅狭く形成されているものとするという手段を講じたものである。
【０００９】
本考案の高さ調節装置は、高さ調節用のボルトを備えた高さ調節具を鋼矢板の天端に取り付け、笠コンクリートブロックの天面に当節する渡し部材を用いて、笠コンクリートブロックを支持させることを特徴とするものである。渡し部材は、天面に開けられた開口部分の両側に当接させて笠コンクリートブロックに配置することも可能であり、笠コンクリートブロックを開口部の位置でも支持することが可能になる。
【００１０】
その渡し部材は笠コンクリートブロックの天面に開けられた開口部分よりも幅狭く形成されている。渡し部材開口部分よりも狭幅であることは、開口部分からコンクリートを笠コンクリートブロックの内部に充填する作業等を妨げないために必要である。渡し部材は２個のボルトに掛け渡すことが望ましいけれども、１個のボルトによって支持されることも十分想定される。上記のように、渡し部材の両端が開口部分の両側に渡されていれば、両側の当接部間のどこでも１個のボルトで支持できるからである。
【００１１】
渡し部材の具体的構造例として、ボルト位置での渡し部材の横断面が下面部、上面部、側面部から成る横向きほぼコ字型の形状であり、下面部に高さ調節用のボルトがねじ合わされる雌ねじ部を有し、上記雌ねじ部又は上記ボルトの上端が当接する上面部にてコンクリートブロックの荷重を負担する構成は好ましいものである。
【００１２】
また、渡し部材の具体的構造例として、ボルト位置での渡し部材の横断面が下面部と内外両側面部から成る上向きほぼコ字型の形状であり、下面部に高さ調節用のボルトがねじ合わされる雌ねじ部を有し、上記雌ねじ部にてコンクリートブロックの荷重を負担するという構成も同様に好ましいものである。
【００１３】
渡し部材は、少なくとも１個の補強リブを有しており、補強リブは渡し部材の下面部、上面部、側面部又は内外両側面部と下面部を結合する構成とすることができる。補強リブによって、渡し部材の構造強度向上を図ることができ、より小型、軽量化が可能になり、開口部分を狭めることが少ない渡し部材が実現する。
【考案の効果】
【００１４】
本考案は以上のように構成され、かつ、作用するものであるから、笠コンクリートブロックを開口部の位置に関わらず、バランス上最適の位置で、鋼矢板の天端に高さ調節可能に支持することができるという効果を奏する。また、本考案によれば、鋼矢板への溶接を必要とせずに、任意の位置に適用することができる笠コンクリートブロックの高さ調節装置を提供することができる。
【考案を実施するための最良の形態】
【００１５】
以下図示の実施形態を参照して本考案をより詳細に説明する。図１は本考案に係る笠コンクリートブロックの高さ調節装置を示す平面図であり、鋼矢板壁１０はいわゆるＵ字型の横断面形状を有するＵ型鋼矢板１１を継手部分にて結合して形成されている。Ｕ字型の場合、継手１２は鋼矢板壁１０の中心軸上のとおり方向に位置する。
【００１６】
一方、笠コンクリートブロック１５は、例えば図３に示した下向きのコの字型又は逆Ｕ字型のような断面形状を有しており、その中空の内部１３にコンクリートを充填する作業等のために、天面に開口部分１４が開けられている。開口部分１４はコンクリート充填作業の他、充填のために型枠類を取り付ける段取り作業にも使用され、また、本考案に係る高さ調節装置設置後の修正作業等にも使用され得る。
【００１７】
図示の笠コンクリートブロック１５の天面には開口部分１４が二箇所開けられており、天面の開口部分１４の長手方向に位置する三か所は前後の側面１６、１７を結合する梁部分１８を構成している。なお、この実施形態では、笠コンクリートブロック１５の陸側を前側の側面１６とし、川（海）側を後側の側面１７と呼んでいる。図３に示す笠コンクリートブロック１５は横断面が四角形であるが、陸側の側面１６に傾斜を持たせて法面に適合する形状としたものもあり、その場合横断面は非対称形状となるから重量バランスを考慮することがより重要になる。
【００１８】
鋼矢板の種類が多く、継手部１２の位置の様々であること、或いは、笠コンクリートブロック１５の形状が各社各様に異なっていることは前述したとおりである。しかし、この実施形態における一例として述べておくと、Ｕ型鋼矢板１１Ｕの幅（継手１２、１２間の長さ）はおおよそ９００ｍｍ、笠コンクリートブロック１５の長さは同様に２０００ｍｍである。この寸法はあくまで例示に過ぎないけれども、現状に見合うものである。
【００１９】
本考案に係る笠コンクリートブロックの高さ調節装置２０はＵ型鋼矢板１１Ｕの天端に取り付けられ、高さ調節用のボルト２２を備えた高さ調節具２１と、上記ボルト２２にて支持され、それ自体は笠コンクリートブロック１５の天面に当接する渡し部材２５を有して構成されている（図３、図４参照）。
【００２０】
このうち高さ調節具２１は鋼矢板１１の天端に掛けて取り付けられる取付け部１９を具備し、固定ボルト１９ａによって鋼矢板１１に固定される。一方、取付け部１９の側面には下部雌ねじ部２３が設けられており、そこに高さ調節用のボルト２２がねじ合わされるように構成されている。また、ボルト２２の上部には渡し部材２５に接する上端２２ａ及びスパナ掛けとなる係止部２２ｂが設けられている。図示の下部雌ねじ部２３は長ナットから成っている。
【００２１】
渡し部材２５及びその例については後述するとおりであるが、図４に示された例について説明すると、ボルト位置での渡し部材２５の横断面が下面部と内外両側面部とから成る上向きほぼコ字型の断面形状を有しており、下面部に高さ調節用のボルト２２のねじ合わされる上部雌ねじ部２４が受け板２６を介して取り付けられている。上部雌ねじ部２４は受け板２６と溶接等により一体化されており、固定手段２７にて渡し部材２５の下面に取り付けられ、この部分にて笠コンクリートブロック１５の荷重を負担するように設けられている。固定手段２７としては、例えば両面粘着性のテープ等が用いられる。
【００２２】
上記渡し部材２５は、例えば、図６以下に示した構成を取ることができる。図６Ａの渡し部材２５−１は、ボルト２２の位置での渡し部材２５−１の横断面が下面部３１、上面部３２、側面部３３から成る横向きほぼコ字型の形状で、上面部３２と側面部３３のためにはアングルと呼ばれる成型材料を使用し、それを受け板２６の上面に取り付けている。下面部３１も受け板２６上に取り付け、上記のボルト２２がねじ合わされる雌ねじ部２４を受け板２６の下面に取り付けている。上記雌ねじ部２４又はボルト２２の上端が当接する上面部３２にて笠コンクリートブロック１５の荷重を負担するものである。
【００２３】
図６Ｂの渡し部材２５−２は、ボルト２２の位置での渡し部材２５−２の横断面が下面部３１と前後の両側面部３３、３４とから成る上向きほぼコ字型の断面形状を有しており、下面部３１に高さ調節用のボルト２２がねじ合わされる雌ねじ部２４を有し、上記雌ねじ部２４にて笠コンクリートブロック１５の荷重を負担するものである。図３、図４は図６Ｂの例と類似の構造であり、渡し部材２５−２と受け板２６とは固定手段２７により固定されている。
【００２４】
図７Ａ、図７Ｂは、全体的構成として上向きほぼコ字型の形状を有する渡し部材２６−３、２６−４の例であり、この点において図６Ｂの例と同等である。特に、図６Ｂ、と図７Ａの例はコ字型の成型材を使用している点で共通する。図７Ｂは幅広の下面部３１の上面に前後の側面部３３、３４が立ち上がっている構造であり、このため断面形状がギリシャ文字のΠを上下逆にした形状に類似している。なお、渡し部材２６−１、２６−２、２６−３、２６−４の構成部材同士は溶接により組み立てられる。
【００２５】
これらの全ての渡し部材２６−１、２６−２、２６−３、２６−４は、少なくとも１個の補強リブ３０を有している。図６Ａの補強リブ３０は、渡し部材２６−１〜２６−４の下面部３１、上面部３２、側面部３３を結合しており、それ以外の例では、下面部３１と前後の両側面部３３、３４を結合している（ただし、図６Ａ、図７Ｂの例ではボルト２２の位置にのみ下面部３１を設けている。）。
【００２６】
このような笠コンクリートブロックの高さ調節装置２０を、鋼矢板壁１０に適用した状態の平面図が図１であり、その一部拡大図が図２である。これらがＵ型鋼矢板１１Ｕを用いた例であるのに対して、いわゆるハット型鋼矢板１１Ｈを用いた例は図５に示されている。ハット型鋼矢板１１Ｈは継手２８の位置がＵ型鋼矢板１１Ｕと異なるが、本考案との関係では特別な相違はなく、両方とも全く同様に本考案を適用することができる。
【００２７】
本考案に係る笠コンクリートブロックの高さ調節装置２０は、笠コンクリートブロック１５を均等に支持できる位置に配置される。均等とは、例えば、笠コンクリートブロック１５を四等分した四部分のそれぞれが高さ調節具２１で支持されるような状態であり、この状態は図１に示されている。図１によれば笠コンクリートブロック１５を四等分した各位置に支持点のあることが分かるであろう。図２或いは図５において高さ調節具２１は、全部が、開口部分１４に配置されている（勿論、開口部分１４以外の箇所にも適宜配置することができる。）。
【００２８】
このように構成されている本考案によれば、渡し部材２５、２５−１〜２５−４を笠コンクリートブロック１５と高さ調節装置２０との間に用いることによって、高さ調節用ボルト２２による笠コンクリートブロック１５の支持位置を極めて自由に設定することができる。このため、ピッチずれを起こしている鋼矢板壁１０であっても、理想的な位置に高さ調節具２０を取り付けられ、重量バランスを保持して笠コンクリートブロック１５を支持できるので、横断面が非対称形状の傘コンクリートブロックであっても最適のバランスを保持することができる。
【図面の簡単な説明】
【００２９】
【図１】本考案に係る笠コンクリートブロックの高さ調節装置を適用した鋼矢板壁の一例を示す平面説明図である。
【図２】同上の装置の要部を拡大して示す平面説明図である。
【図３】同上の装置を示す断面図である。
【図４】同上の装置の一例を拡大して示す断面図である。
【図５】同じく本考案を適用した鋼矢板壁の他の例を示す平面説明図である。
【図６】同じく渡し部材を示すもので、Ａは第１の例、Ｂは第２の例を示す側面図と正面図である。
【図７】同じく渡し部材を示すもので、Ａは第３の例、Ｂは第４の例を示す側面図と正面図である。
【符号の説明】
【００３０】
１０  鋼矢板壁
１１  Ｕ型鋼矢板
１２、２８  継手
１３  中空の内部
１４  開口部分
１５  笠コンクリートブロック
１６  前側面
１７  後側面
１８  梁部分
１９  取付け部
２０  高さ調節装置
２１  高さ調節具
２２  高さ調節用のボルト
２３  下部雌ねじ部
２４  上部雌ねじ部
２５、２５−１〜２５−４  渡し部材
２６  受け板
２７  固定手段
３０  補強リブ
３１  下面部
３２  上面部
３３  前側面部
３４  後側面部
【図１】
0003195689.tif 000003
【図２】
0003195689.tif 000004
【図３】
0003195689.tif 000005
【図４】
0003195689.tif 000006
【図５】
0003195689.tif 000007
【図６】
0003195689.tif 000008
【図７】
0003195689.tif 000009